(57)【要約】【課題】遊技者が、報知された釘の調整状態を考慮して遊技機を選択することが出来るようにするとともに、遊技場管理者等が、調整後の釘の調整状態を確認することが出来るようにすること。【解決手段】遊技領域に配設され、入賞手段としての始動入賞口７への遊技球の入賞状態を調整可能な両側一対の釘を備えた遊技機において、前記一対の釘に対して光を照射する発光手段１１１と、当該発光手段より照射され、該一対の釘を通過して到達した光の光量分布を測定する光量分布測定手段１１２とから成る検知手段１００と、前記検知手段によって測定された前記一対の釘を通過して到達した光の光量分布信号に基づき、前記一対の釘の調整状態を判定する判定手段２００と、前記判定手段によって判定された前記釘の調整状態を報知する報知手段３００とから成る遊戯機。【選択図】図１
2011234890.tif 000002
【特許請求の範囲】
【請求項１】
遊技領域に配設され、入賞手段への遊技球の入賞状態を調整可能な釘を備えた遊技機において、
前記釘の調整状態を光学的に検知する遊技機内に配置された検知手段と、
前記検知手段によって光学的に検知された検知信号に基づき、釘の調整状態を判定する判定手段と、
前記判定手段によって判定された前記釘の調整状態を報知する報知手段とから成ることを特徴とする遊技機。
【請求項２】
請求項１において、
前記検知手段が、
前記釘に対して光を照射する発光手段と、
前記発光手段より照射され、該釘付近を通過して到達した光の光量分布を測定する測定手段とから成る
ことを特徴とする遊技機。
【請求項３】
請求項１において、
前記検知手段が、
前記釘からの反射光により三角測量原理に基づき、光学的に前記釘の調整状態を検知するように構成されている
ことを特徴とする遊技機。
【請求項４】
請求項１において、
前記検知手段が、
前記釘に近接して配設され、前記釘の調整後の姿勢をイメージとして検知するイメージセンサーによって構成されている
ことを特徴とする遊技機。
【請求項５】
請求項１ないし請求項４のいずれかにおいて、
前記報知手段が、前記釘の調整状態を複数の表示領域のいずれかを選択的に点灯させることにより報知するように構成されている
ことを特徴とする遊技機。
【発明の詳細な説明】
【技術分野】
【０００１】
本発明は、遊技領域に配設され、入賞手段への遊技球の入賞状態を調整可能な釘を備えた遊技機において、前記釘の調整状態を光学的に検知した検知信号に基づき、釘の調整状態を判定することにより、前記釘の調整状態を報知する遊技機に関するものである。
【背景技術】
【０００２】
従来から、図１７に示されるように遊技領域に配置した各種入賞手段（始動入賞口など）への遊技球の入賞状態を調整可能な入賞状態調整手段としての釘を備えた遊技機において、前記入賞状態調整手段としての前記釘の調整状態が、遊技者にとって有利な調整状態である可能性がある旨を示す所定の有用情報を報知可能な有用情報報知手段を備えたもので、遊技者は、遊技開始後に現在遊技中の遊技機が優良台である可能性があることを知ることができるもので、さらに、イベント開催日にはイベントの開催を知らせることで、より多くの遊技者に対して、イベントの開催をアピールすることができる遊技機が知られていた。
【先行技術文献】
【特許文献】
【０００３】
【特許文献１】特開２００５−７３７２０号公報
【発明の概要】
【発明が解決しようとする課題】
【０００４】
上記従来の遊技機は、釘などの入賞状態調整手段の調整状態が良い状態にあることを直接的に報知するものではなく、イベントの開催状況などを報知することにより、釘などの入賞状態調整手段の調整状態が良い状態にある可能性があることを間接的に報知するにすぎないものであるため、釘などの入賞状態調整手段の実際の状態が良い状態ではない場合に、報知されたイベントを信頼して遊技を行った遊技者に対して不信感を与えてしまうという問題があった。
【０００５】
また上記従来の遊技機は、釘などの入賞状態調整手段の実際の状態を報知するものではないため、釘などの入賞状態調整手段の調整を行った後の調整状態を、遊技場管理者等が確認することは出来ないという問題があった。
【０００６】
そこで本発明者らは、遊技領域に配設され、入賞手段への遊技球の入賞状態を調整可能な釘を備えた遊技機において、前記釘の調整状態を遊技機内に配置された検知センサーによって光学的に検知した検知信号に基づき、釘の調整状態を判定することにより、前記釘の調整状態を報知するという本発明の技術的思想に着眼して、さらに研究開発を重ねた結果、遊技者が、報知された前記釘の調整状態を考慮して遊技機を選択することが出来るようにするとともに、遊技場管理者等が、調整後の前記釘の調整状態を確認することが出来るという目的を達成する本発明に到達した。
【課題を解決するための手段】
【０００７】
本発明（請求項１に記載の第１発明）の遊技機は、
遊技領域に配設され、入賞手段への遊技球の入賞状態を調整可能な釘を備えた遊技機において、
前記釘の調整状態を光学的に検知する遊技機内に配置された検知手段と、
前記検知手段によって光学的に検知された検知信号に基づき、釘の調整状態を判定する判定手段と、
前記判定手段によって判定された前記釘の調整状態を報知する報知手段とから成るものである。
【０００８】
本発明（請求項２に記載の第２発明）の遊技機は、
前記第１発明において、
前記検知手段が、
前記釘に対して光を照射する発光手段と、
前記発光手段より照射され、該釘付近を通過して到達した光の光量分布を測定する測定手段とから成る
ものである。
【０００９】
本発明（請求項３に記載の第３発明）の遊技機は、
前記第１発明において、
前記検知手段が、
前記釘からの反射光により三角測量原理に基づき、光学的に前記釘の調整状態を検知するように構成されている
ものである。
【００１０】
本発明（請求項４に記載の第４発明）の遊技機は、
前記第１発明において、
前記検知手段が、
前記釘に近接して配設され、前記釘の調整後の姿勢をイメージとして検知するＣＣＤイメージセンサーによって構成されている
ものである。
【００１１】
本発明（請求項５に記載の第５発明）の遊技機は、
前記第１発明ないし前記第４発明のいずれかにおいて、
前記報知手段が、前記釘の調整状態を複数の表示領域のいずれかを選択的に点灯させることにより報知するように構成されている
ものである。
【発明の効果】
【００１２】
上記構成より成る本発明の遊技機は、遊技領域に配設され、入賞手段への遊技球の入賞状態を調整可能な釘を備えた遊技機において、前記検知手段が、前記釘の調整状態を光学的に検知して、前記判定手段が、前記検知手段によって光学的に検知された検知信号に基づき、釘の調整状態を判定するとともに、前記報知手段が前記判定手段によって判定された前記釘の調整状態を報知するので、遊技者が、報知された前記釘の調整状態を考慮して遊技機を選択することが出来るようにするとともに、遊技場管理者等が、調整後の前記釘の調整状態を確認することが出来るという効果を奏する。
【図面の簡単な説明】
【００１３】
【図１】本発明の第１実施例のパチンコ遊技機全体を示す正面図である。
【図２】本第１実施例のパチンコ遊技機における操作部を示す部分平面図である。
【図３】本第１実施例のパチンコ遊技機における制御を実現する各種基板と各種構成要素との接続関係を示すブロック図である。
【図４】本第１実施例のパチンコ遊技機における釘の調整状態検知装置を示すブロック図である。
【図５】本第１実施例における検知手段を示す部分正面図および部分側面図である。
【図６】本第１実施例における検知手段を構成する半導体位置検出素子を示す側面図および平面図である。
【図７】本第１実施例において、釘が左に傾斜している場合、直立している場合、右に傾斜している場合における各検知信号、整形波形、表示図形を示す説明図である。
【図８】本発明の第２実施例のパチンコ遊技機における検知原理を示す部分拡大正面図である。
【図９】本第２実施例における検知手段の詳細を示す部分拡大正面図である。
【図１０】本第２実施例における検知手段の配設態様を示す部分拡大正面図および部分拡大側面図である。
【図１１】本発明の第３実施例のパチンコ遊技機における検知手段の配設態様を示す部分拡大正面図および部分拡大側面図である。
【図１２】本第３実施例のパチンコ遊技機における釘の調整状態検知装置を示すブロック図である。
【図１３】本第３実施例のパチンコ遊技機全体を示す正面図である。
【図１４】本第３実施例において、釘が盤面の左右方向において右に傾斜している場合、直立している場合、左に傾斜している場合において、釘が盤面の上下方向において、下方に傾斜している場合、直立している場合、下に傾斜している場合の検知画像および下方に傾斜している場合、直立している場合、下に傾斜している場合における釘の頭部の拡大検知画像を示す説明図である。
【図１５】本第３実施例における判定ロジックを説明するためのマトリックスを示す説明図である。
【図１６】本第３実施例における図柄変動装置の両側の表示部における釘の調整状態判定結果を示す表示パターンを示す説明図である。
【図１７】従来の遊技機における遊技者にとって有利な調整状態である可能性がある旨を示す所定の有用情報を報知可能な有用情報報知手段の表示態様を示す説明図である。
【発明を実施するための形態】
【００１４】
以下、本発明の最良の実施形態について、実施例に基づき図面を用いて説明する。
【実施例１】
【００１５】
本第１実施例の遊技機は、図１ないし図７に示されるように遊技領域に配設され、入賞手段としての始動入賞口７への遊技球の入賞状態を調整可能な両側一対の釘を備えた遊技機において、前記一対の釘に対して光を照射する発光手段１１１と、当該発光手段より照射され、該一対の釘を通過して到達した光の光量分布を測定する光量分布測定手段１１２とから成る検知手段１００と、前記検知手段によって測定された前記一対の釘を通過して到達した光の光量分布信号に基づき、前記一対の釘の調整状態を判定する判定手段２００と、前記判定手段によって判定された前記釘の調整状態を報知する報知手段３００とから成るものである。
【００１６】
前記検知手段１００を構成する前記発光手段１１１は、図５および図６に示されるように遊技盤３の中央に配置されているセンター役物４の下方に配設された第１始動入賞口７の上方に配設された左右一対の釘の調整状態すなわち姿勢を検知するために、第１始動入賞口７内部の遊技球を案内する垂直壁に埋設され、上方に配設された左右一対の釘に対して光を照射するように構成されている。
【００１７】
前記光量分布測定手段１１２は、図５および図６に示されるようにセンター役物４の下部の垂直壁に前記一対の釘に対応する部位の２か所に並設された受光素子によって構成されている。
【００１８】
前記入賞口の前面に配設された入賞口前面壁内に配置された前記発光手段１１１から、上方の一対の釘に対して照射された光は、前記一対の釘に当たった光は反射されるとともに、それ以外の光は前記一対の釘を通過するように構成されている。
【００１９】
前記一対の釘を通過した光は、ステージの下部の垂直壁に前記一対の釘に対応する部位の２か所に並設された前記受光素子を照射し、前記一対の釘に当たって反射された光との境界部において受光レベルが急激に低下する照射パターンとなるので、受光レベルが急激に変化する部位を検知することにより、前記釘の位置および姿勢、調整状態を検知するように構成されている。
【００２０】
そこでまず本第１実施例のパチンコ遊技機の全体構成について、図１に示される正面図を用いて具体的に説明する。
本第１実施例のパチンコ遊技機は、遊技機本体１が外郭となる矩形形状の外枠２を有し、当該外枠２内に納められる図示しない内枠に対して遊技盤３が着脱可能に取り付けられている。
【００２１】
前面枠１６は、例えば前面主要部を構成する透明なガラス窓１７、下端中央の突出部に形成された受け皿部１８、右端略中央部に形成された鍵穴１９、および前記鍵穴１９下方に配設された発射ハンドル２５等を備え、前記遊技盤３の前面側に前記外枠２に対して揺動開閉可能に取り付けられている。
【００２２】
前記受け皿部１８は、前記前面枠１６の下部に配設され、前記発射ハンドル２５を操作することにより発射される遊技球が貯留されるように構成されている。また、当該受け皿部１８は、演出やその他の所定の用途に使用される演出ボタン２１等を備えた後述する操作部２０を備える。さらに、前記受け皿部１８は、その前面右端部に、遊技球の玉貸しボタン２７、およびＩＣカード等の返却ボタン２８などが配設され、
【００２３】
前記発射ハンドル２５は、当該発射ハンドル２５の軸部に対して相対回転可能に配設され、前記受け皿部１８に貯留された遊技球を打ち出すために遊技者が回転操作する発射レバー２５ａと、当該ハンドル操作を行っている状態で遊技球の発射を一時的に停止させるためのウェイトボタン（図示せず）と、前記発射ハンドル２５の外周部に施された導電性メッキ部を用いて、当該導電性メッキ部に接している物体の静電気容量の変化を検出することによりハンドル操作が遊技者の手によるものであるか否かを判断するタッチセンサ（図示せず）とを備える。
【００２４】
前記発射ハンドル２５は、図示しない発射制御基板と電気的に接続され、後述する不正行為判定処理によって不正行為が検知された場合に、主制御基板４０から発射制御基板に対して遊技球の発射を禁止するための制御信号を出力し、遊技球の発射を強制的に抑制するように構成することもできる。具体的には、発射ソレノイドや球送りソレノイドを強制的に停止状態にすることにより、遊技球の発射を禁止することができる。
【００２５】
さらに本第１実施例の遊技盤の具体的構成について説明する。
前記遊技盤３は、図１に示されるように、レールによって囲まれる略円形状の遊技領域３ａと、当該遊技領域３ａの略中央部に配設された可変入賞装置６と、当該可変入賞装置６の下方に配設され、遊技球が入賞すると当該可変入賞装置６の可変翼１１０ａ，１１０ｂの開閉動が行われる始動入賞口７とを備える。
【００２６】
前記可変入賞装置６は、その上部側方に配設され、遊技球が前記始動入賞口７に入賞するとその揺動支持端を支点として開閉動を行う前記可変翼１１０ａ，１１０ｂを備える。遊技領域３ａに打ち出された遊技球の一部は、前記可変翼１１０ａ，１１０ｂが開成している間に可変入賞口１２０ａ，１２０ｂから前記可変入賞装置６内部に進入する。前記可変入賞装置６内部に侵入した遊技球は、当該可変入賞装置６の可変入賞口付近に配設された進入検知スイッチによって当該遊技球の通過が検知されると、所定個数の遊技球の賞球が行われる。前記可変入賞装置６内部に進入した遊技球は、前記可変入賞装置６内部の傾斜案内面に案内され、可変入賞口検出スイッチを通過して内部空間へと導かれる。
【００２７】
センター役物４、当該センター役物４後方に配設された図柄変動装置５と、当該センター役物４下方に配設された第１始動入賞口７と、当該第１始動入賞口７下方に配設された可変入賞装置６と、前記遊技領域３ａの所定の複数箇所に配設された普通入賞口１２と、遊技球を前記遊技領域３ａから排出するためのアウト口１３等を備える。
【００２８】
図柄変動装置５は、前記遊技盤３の略中央部に位置する前記可変入賞装置６の後方の開口部に対して後方から配設され、装飾図柄等の各種の図柄を変動表示したり、それぞれの演出や遊技状態に応じた演出画像等を表示する液晶画面をその前面に備える。特に本第１実施例において一対の左右の釘の調整状態すなわち姿勢を報知するための前記報知手段３として表示する場合には、図柄変動装置５の一部を一対の左右の釘の調整状態報知用の画像を表示するように構成することもできる。
【００２９】
特定排出口１６０は、所謂Ｖゾーンと呼ばれるもので、遊技球が進入するとその進入が特定排出口検出スイッチ１６０ｓによって検出され、大当り状態を発生させ、大当りの最終ラウンドまで達するよう前記可変翼１１０ａ，１１０ｂを連続的に開閉動させるように構成されている。
【００３０】
普通排出口１７０ａ，１７０ｂは、前記特定排出口１６０の両側に配設され、遊技球が進入したとしても、前記特定排出口１６０とは異なり大当り状態とはならない。また前記普通排出口１７０ａ，１７０ｂは、一般的に前記特定排出口１６０よりも遊技球が入賞し易くなるよう配設位置、開口部の形状等の諸条件が設定されている。
【００３１】
次に本第１実施例のパチンコ遊技機の遊技制御を行う遊技制御装置の構成について、図３に示されるブロック図を用いて説明する。
【００３２】
当該遊技制御装置は、パチンコ遊技機全体の主たる制御を行う主制御基板４０を備えるとともに、副制御基板として、遊技の演出全体を制御する演出制御基板５０、画像や音声を制御する画像・音声制御基板６０、各種の発光手段を制御するランプ制御基板７０および賞球を制御する払出制御基板８０等を備える。
【００３３】
以下主制御基板４０、演出制御基板５０、画像・音声制御基板６０、ランプ制御基板７０および払出制御基板８０のそれぞれの具体的構成について説明する。
【００３４】
まず初めに主制御基板について説明する。
前記主制御基板４０は、メインＣＰＵ４１、メインＲＯＭ４２、メインＲＡＭ４３および入出力インターフェースＩ／Ｏ（以下、Ｉ／Ｏという）４４，４５を有し、前記パチンコ遊技機全体の主たる基本的な制御を行う。
【００３５】
前記メインＣＰＵ４１は、各種の乱数値（例えば、大当り乱数、大当り図柄乱数およびリーチ乱数等）を所定の周期ごとに更新処理するとともに、本第１実施例の釘の調整状態判定処理を実行する。また、前記メインＲＯＭ４２は、前記パチンコ遊技機全体を制御するための主制御プログラムや演出のベースとなる複数種類の変動パターン等を記憶保持している。さらに、前記メインＲＡＭ４３は、前記パチンコ遊技機の制御中に随時書き換えされる乱数値などが所定の記憶領域に記憶されるように構成されている。
【００３６】
また前記Ｉ／Ｏ４４は、前記可変入賞装置６の前記始動入賞口７に設けられた始動入賞口接続される。さらに、当該Ｉ／Ｏ４４は、その他にも前記遊技盤３の前記普通入賞口１２に設けられた普通入賞口ＳＷ１２ａ、当該可変入賞装置６の可変入賞口付近に配設された進入検知スイッチ、前記可変入賞装置６に備えられた前記可変翼１１０ａ、１１０ｂを開閉動作させるための電チューソレノイド９ｓなどが接続されている。
【００３７】
本第１実施例においては、センター役物４下方に配設され、遊技球が入賞すると前記可変入賞装置６の可変翼１１０ａ，１１０ｂの開閉動作が行われる第１始動入賞口７の上方に配設された一対の釘の調整状態を検知するように構成されている。
【００３８】
前記発光手段１１１は、図５に示されるように第１始動入賞口７内部の垂直壁に埋設され、上方に配設された左右一対の釘に対して、所定の角度範囲内において、駆動機構（図示せず）の左右方向（図５（Ａ）図示）および上下方向（図５（Ｂ）図示）の三次元的駆動によってスイングすることによりレーザスポット光を照射するレーザ光照射手段１１１０によって構成されている。
【００３９】
前記レーザ光照射手段１１１０は、レーザ光発光部１１１１が中央に配置された円形上面部１１１２と半球状凸面の下面を備えたスイング部材１１１３を備え、第１始動入賞口７内部の垂直壁から一定距離下方の部位に形成された軸受けを構成する半球状凹面１１１４に沿って、盤面の左右方向において角度範囲θＬの範囲内においてスイングし得るように構成されているとともに、盤面の前後方向において角度範囲θＤの範囲内において、頭部に近い部分Ｔ、中央部分Ｍ、盤面への取付け部の近い下方部分Ｌの上下方向の３か所についてスイングし得るように構成されている。
【００４０】
前記光量分布測定手段１１２を構成する受光素子は、図６に示されるように半導体位置検出素子（ＰＳＤ（Position Sensitive Detector ））センサー１１２０によって構成され、基本的にはフォトダイオードと同様に一つの接合面をもつＰＩＮ構造であり、ほぼ１ｃｍの長さを有し、半導体表面に光のスポットが当たると、電荷が発生し、発生した電荷は両端の電極に到達し、到達した電荷の量は、光のスポットが当たった位置と電極までの距離に反比例する。したがって、電極から取り出した電流は、必要な演算を行なうことにより、スポット光の位置に比例したデータとして表示することが可能になる。
【００４１】
本第１実施例において、遊技者または遊技場管理者が、始動入賞口の上流の一対の釘の調整状態を確認する場合には、遊技開始前に前記操作部の「ＥＮＴＥＲ」ボタンを一定時間以上（例えば３秒以上）長押しすることにより、釘の調整状態確認モードを起動させ、左右方向ボタンを押すことにより、始動入賞口の上流の一対の釘の左の釘ＫＬまたは右の釘ＫＲのいずれかが選択されるように構成されている。
【００４２】
上記構成より成る第１実施例において、前記レーザ光照射手段１１１０が左右方向にスイングするので、上方の一対の釘ＫＬ、ＫＲに対して照射されたレーザ光は、頭部に近い部分Ｔ、中央部分Ｍ、盤面への取付け部の近い下方部分Ｌの上下方向の３か所について、左右方向に移動しながら照射される。
【００４３】
スイング中前記一対の釘ＫＬ、ＫＲに当たった光は反射されるとともに、前記一対の釘に当たらなかったレーザスポット光は前記一対の釘を通過して、左右にそれぞれ配置された前記半導体位置検出素子（ＰＳＤ）センサーを照射する。
【００４４】
前記半導体位置検出素子（ＰＳＤ）センサーは、レーザスポット光が照射されると、スポット光が当たった位置と電極までの距離に反比例する電荷の量を出力する。
【００４５】
したがって例えば図７（Ａａ）に示されるように前記始動入賞口７の上方の前記一対の釘の左の釘ＫＬが左に傾斜している場合、前記釘ＫＬの頭部に近い部分Ｔに対してレーザスポット光が照射された場合には、図７（Ａｂ）に示されるように右肩上がりの出力波形の前記釘ＫＬによってレーザスポット光が反射されるため、前記釘ＫＬに相当する部位の一部（図７（Ａｂ）中Ｐ１−Ｐ２）が欠落した波形が前記半導体位置検出素子（ＰＳＤ）センサーより出力される。
【００４６】
前記釘ＫＬの中央に近い部分Ｍに対してレーザスポット光が照射された場合には、図７（Ａｃ）に示されるように右肩上がりの出力波形の前記釘ＫＬによってレーザスポット光が反射されるため、前記釘Ｋに相当する図７（Ａｂ）における欠落部より若干図中右方の部位の一部（図７（Ａｃ）中Ｐ３−Ｐ４）が欠落した波形が前記半導体位置検出素子（ＰＳＤ）センサーより出力される。
【００４７】
前記釘Ｋの下方に近い部分Ｌに対してレーザスポット光が照射された場合には、図７（Ａｄ）に示されるように右肩上がりの出力波形の前記釘ＫＬによってレーザスポット光が反射されるため、前記釘ＫＬに相当する図７（Ａｃ）における欠落部より若干図中右方の部位の一部（図７（Ａｄ）中Ｐ５−Ｐ６）が欠落した波形が前記半導体位置検出素子（ＰＳＤ）センサーより出力される。
【００４８】
前記判定手段２００は、前記検知手段によって測定された前記一対の釘を通過して到達した光の光量分布信号に基づき、前記一対の釘の調整状態を判定するものであるが、例えば図７（Ａａ）に示されるように前記始動入賞口の上方の前記一対の釘の左の釘ＫＬが左に傾斜している場合、頭部に近い部分Ｔ、中央部分Ｍ、盤面への取付け部の近い下方部分Ｌの上下方向の３か所について、前記レーザ光照射手段が左右方向にスイングするので、上述したように前記半導体位置検出素子（ＰＳＤセンサー）が、レーザ光のスポットが当たった位置と電極までの距離に反比例するので、前記電極から取り出され出力された電流波形から、必要な波形変換を行なうことにより、図７（Ａｂ）ないし（Ａｄ）における電流波形の欠落部（図７Ａ中Ｐ１−Ｐ２、Ｐ３−Ｐ４、Ｐ５−Ｐ６）に対応して立ち上がって立ち下がるパルス波形に波形変換するとともに、この波形変換された３つのパルス波形に基づき、報知手段３００において前記釘の調整状態を表示報知するための報知表示信号を出力するものである。
【００４９】
前記報知手段３００は、前記判定手段から出力された報知表示信号の３個のパルス波形（Ｐ１−Ｐ２、Ｐ３−Ｐ４、Ｐ５−Ｐ６）の座標（Ｐ１、Ｐ２）、座標（Ｐ３、Ｐ４）、座標（Ｐ５、Ｐ６）データに基づき、図７（Ａｈ）に示されるように釘ＫＬのＴ部分を（Ｐ１、Ｐ２）座標とし、釘のＭ部分を（Ｐ３、Ｐ４）座標とし、釘のＬ部分を（Ｐ５、Ｐ６）座標とすることにより、前記釘の調整状態すなわち前記釘ＫＬの左右方向における左に傾斜した姿勢を図柄変動装置の一部を表示手段として、表示報知するものである。
【００５０】
また例えば図７（Ｂａ）に示されるように前記始動入賞口７の上方の前記一対の釘の左または右の釘ＫＬ、ＫＲ（以下単にＫと言う）が直立（盤面に直交）している場合、前記釘Ｋの頭部に近い部分Ｔに対してレーザスポット光が照射された場合には、図７（Ｂｂ）に示されるように右肩上がりの出力波形の前記釘Ｋによってレーザスポット光が反射されるため、前記釘Ｋに相当する部位の一部（図７（Ｂｂ）中Ｐ１−Ｐ２）が欠落した波形が前記半導体位置検出素子（ＰＳＤ）センサーより出力される。
【００５１】
前記釘Ｋの中央に近い部分Ｍに対してレーザスポット光が照射された場合には、図７（Ｂｃ）に示されるように右肩上がりの出力波形の前記釘Ｋによってレーザスポット光が反射されるため、前記釘Ｋに相当する図７（Ｂｂ）における欠落部と一致する部位の一部（図７（Ｂｃ）中Ｐ１−Ｐ２）が欠落した波形が前記半導体位置検出素子（ＰＳＤ）センサーより出力される。
【００５２】
前記釘Ｋの下方に近い部分Ｌに対してレーザスポット光が照射された場合には、図７（Ｂｄ）に示されるように右肩上がりの出力波形の前記釘Ｋによってレーザスポット光が反射されるため、前記釘Ｋに相当する図７（Ｂｃ）における欠落部と一致する部位の一部（図７（Ｂｄ）中Ｐ１−Ｐ２）が欠落した波形が前記半導体位置検出素子（ＰＳＤ）センサーより出力される。
【００５３】
前記判定手段２００は、前記検知手段によって測定された前記一対の釘を通過して到達した光の光量分布信号に基づき、前記一対の釘の調整状態を判定するものであるが、例えば図７（Ｂａ）に示されるように前記始動入賞口の上方の前記一対の釘の左の釘が直立している場合、頭部に近い部分Ｔ、中央部分Ｍ、盤面への取付け部の近い下方部分Ｌの上下方向の３か所について、前記レーザ光照射手段が左右方向にスイングするので、上述したように前記半導体位置検出素子（ＰＳＤセンサー）が、レーザ光のスポットが当たった位置と電極までの距離に反比例するので、前記電極から取り出され出力された電流波形から、必要な波形変換を行なうことにより、図７（Ｂｂ）ないし（Ｂｄ）における電流波形の欠落部（図７Ｂ中Ｐ１−Ｐ２）に対応していずれも立ち上がって立ち下がるパルス波形に波形変換するとともに、この波形変換された３つのパルス波形に基づき、報知手段３において前記釘の調整状態を表示報知するための報知表示信号を出力するものである。
【００５４】
前記報知手段３００は、前記判定手段から出力された報知表示信号の３個のパルス波形（Ｐ１−Ｐ２、Ｐ３−Ｐ４、Ｐ５−Ｐ６）の座標（Ｐ１、Ｐ２）データに基づき、図７（Ｂｈ）に示されるように釘のＴ部分を（Ｐ１、Ｐ２）座標とし、釘のＭ部分を（Ｐ３、Ｐ４）座標とし、釘のＬ部分を（Ｐ５、Ｐ６）座標とすることにより、前記釘の調整状態すなわち前記釘の左右方向において直立した姿勢を図柄変動装置の一部を表示手段として、表示報知するものである。
【００５５】
さらに例えば図７（Ｃａ）に示されるように前記始動入賞口７の上方の前記一対の釘の右の釘ＫＲが右に傾斜している場合、前記釘ＫＲの頭部に近い部分Ｔに対してレーザスポット光が照射された場合には、図７（Ｃｂ）に示されるように右肩上がりの出力波形の前記釘ＫＲによってレーザスポット光が反射されるため、前記釘ＫＲに相当する部位の一部（図７（Ｃｂ）中Ｐ１−Ｐ２）が欠落した波形が前記半導体位置検出素子（ＰＳＤ）センサーより出力される。
【００５６】
前記釘ＫＲの中央に近い部分Ｍに対してレーザスポット光が照射された場合には、図７（Ｃｃ）に示されるように右肩上がりの出力波形の前記釘ＫＲによってレーザスポット光が反射されるため、前記釘ＫＲに相当する図７（Ｃｂ）における欠落部より若干図中左方の部位の一部（図７（Ｃｃ）中Ｐ３−Ｐ４）が欠落した波形が前記半導体位置検出素子（ＰＳＤ）センサーより出力される。
【００５７】
前記釘ＫＲの下方に近い部分Ｌに対してレーザスポット光が照射された場合には、図７（Ｃｄ）に示されるように右肩上がりの出力波形の前記釘Ｋによってレーザスポット光が反射されるため、前記釘ＫＲに相当する図７（Ｃｃ）における欠落部より若干図中左方の部位の一部（図７（Ｃｄ）中Ｐ５−Ｐ６）が欠落した波形が前記半導体位置検出素子（ＰＳＤ）センサーより出力される。
【００５８】
前記判定手段２００は、前記検知手段によって測定された前記一対の釘を通過して到達した光の光量分布信号に基づき、前記一対の釘の調整状態を判定するものであるが、例えば図７（Ｃａ）に示されるように前記始動入賞口の上方の前記一対の釘の右の釘ＫＲが右に傾斜している場合、頭部に近い部分Ｔ、中央部分Ｍ、盤面への取付け部の近い下方部分Ｌの上下方向の３か所について、前記レーザ光照射手段が左右方向右方にスイングするので、上述したように前記半導体位置検出素子（ＰＳＤセンサー）が、レーザ光のスポットが当たった位置と電極までの距離に反比例するので、前記電極から取り出され出力された電流波形から、必要な波形変換を行なうことにより、図７（Ｃｂ）ないし（Ｃｄ）における電流波形の欠落部（図７Ｃ中Ｐ１−Ｐ２、Ｐ３−Ｐ４、Ｐ５−Ｐ６）に対応して立ち上がって立ち下がるパルス波形に波形変換するとともに、この波形変換された３つのパルス波形に基づき、報知手段３において前記釘ＫＲの調整状態を表示報知するための報知表示信号を出力するものである。
【００５９】
前記報知手段３００は、前記判定手段から出力された報知表示信号の３個のパルス波形（Ｐ１−Ｐ２、Ｐ３−Ｐ４、Ｐ５−Ｐ６）の座標（Ｐ１、Ｐ２）、座標（Ｐ３、Ｐ４）、座標（Ｐ５、Ｐ６）データに基づき、図７（Ｃｈ）に示されるように釘ＫＲのＴ部分を（Ｐ１、Ｐ２）座標とし、釘ＫＲのＭ部分を（Ｐ３、Ｐ４）座標とし、釘ＫＲのＬ部分を（Ｐ５、Ｐ６）座標とすることにより、前記釘ＫＲの調整状態すなわち前記釘ＫＲの左右方向における右に傾斜した姿勢を図柄変動装置の一部として両側の表示部を表示手段として、表示報知するものである。
【００６０】
上記作用を奏する第１実施例の遊技機は、遊技領域に配設され、入賞手段としての始動入賞口７への遊技球の入賞状態を調整可能な釘を備えた遊技機において、前記検知手段１００が、前記釘の調整状態を光学的に検知して、前記判定手段２００が、前記検知手段１００によって光学的に検知された検知信号に基づき、釘の調整状態を判定するとともに、前記報知手段３００が前記判定手段２００によって判定された前記釘の調整状態を報知するので、遊技者が、報知された前記釘の調整状態を考慮して遊技機を選択することが出来るようにするとともに、遊技場管理者等が、調整後の前記釘の調整状態を確認することが出来るという効果を奏する。
【００６１】
また第１実施例の遊技機は、前記検知手段１００を構成する前記発光手段１１１が、前記釘に対して光を照射して、前記測定手段１１２が、前記発光手段１１１より照射され、該釘付近を通過して到達した光の光量分布を測定するので、測定された光量分布に基づき釘の調整状態を前記判定手段２００が判定するとともに、前記報知手段３００が前記判定手段２００によって判定された前記釘の調整状態を報知するため、遊技者が、報知された前記釘の調整状態を考慮して遊技機を選択することが出来るようにするとともに、遊技場管理者等が、調整後の前記釘の調整状態を確認することが出来るという効果を奏する。
【００６２】
さらに第１実施例の遊技機は、前記判定手段２００から出力された報知表示信号の３個のパルス波形（Ｐ１−Ｐ２、Ｐ３−Ｐ４、Ｐ５−Ｐ６）の座標（Ｐ１、Ｐ２）、座標（Ｐ３、Ｐ４）、座標（Ｐ５、Ｐ６）データに基づき、前記報知手段３００が、図７（ＡｈないしＣｈ）に示されるように釘ＫＬ、ＫＲのＴ部分を（Ｐ１、Ｐ２）座標とし、釘ＫＬ、ＫＲのＭ部分を（Ｐ３、Ｐ４）座標とし、釘ＫＬ、ＫＲのＬ部分を（Ｐ５、Ｐ６）座標とすることにより、前記釘ＫＬ、ＫＲの調整状態すなわち前記釘ＫＬ、ＫＲの左右方向における左または右に傾斜した姿勢あるいは直立姿勢を直接図示するので、遊戯者または遊技場管理者等が容易に前記釘の姿勢を認識出来るという効果を奏する。
【００６３】
また第１実施例の遊技機は、前記判定手段２００から出力された報知表示信号の３個のパルス波形（Ｐ１−Ｐ２、Ｐ３−Ｐ４、Ｐ５−Ｐ６）の座標（Ｐ１、Ｐ２）、座標（Ｐ３、Ｐ４）、座標（Ｐ５、Ｐ６）データに基づき、前記報知手段３００が、図７（ＡｈないしＣｈ）に示されるように釘ＫＬ、ＫＲのＴ部分を（Ｐ１、Ｐ２）座標とし、釘ＫＬ、ＫＲのＭ部分を（Ｐ３、Ｐ４）座標とし、釘ＫＬ、ＫＲのＬ部分を（Ｐ５、Ｐ６）座標とすることにより、前記釘ＫＬ、ＫＲの調整状態すなわち前記釘ＫＬ、ＫＲの左右方向における左または右に傾斜した姿勢あるいは直立姿勢を正確に表示することが出来るという効果を奏する。
【００６４】
さらに第１実施例の遊技機は、遊技盤３の中央に位置する前記可変入賞装置の後方に配置された前記図柄変動装置の一部として両側の表示部を表示手段として利用することにより、表示報知するものであるので、新たな表示手段を新設することなく、遊戯者または遊技場管理者等が容易に前記釘の姿勢を認識出来るという効果を奏する。
【００６５】
また第１実施例の遊技機は、前記釘の実際の状態の良し悪しを、図柄変動装置の一部として両側の表示部を表示手段として、直接的に表示報知するため、遊技者に対して不用な不信感を与える事無く、信頼性の高い価値ある情報を提供することが出来るという効果を奏するとともに、釘の実際の状態を報知可能であるため、釘の調整を行った後の調整状態を遊技場管理者等が確認することが出来るので、必要な場合は前記釘の再調整を可能にして、精密な釘調整を可能にするという効果を奏する。
【実施例２】
【００６６】
本第２実施例の遊技機は、図８ないし図１０に示されるように前記検知手段１００が、投光素子１２１から投光された光による、始動入賞口の上流の一対の釘からの反射光により三角測量原理に基づき、位置検出素子１２２上に結像させることにより、光学的に前記釘の調整状態を検知するように構成されている点が、前記第１実施例との相違点であり、以下相違点を中心に説明する。
【００６７】
本第２実施例においては、図１０に示されるように遊技者または遊技場管理者が、始動入賞口の上流の一対の釘の調整状態を確認する場合には、遊技開始前に前記操作部の「ＥＮＴＥＲ」ボタンを長押しすることにより、釘の調整状態確認モードを起動させると、遊技中は埋没して収納されている前記検知手段１００が収納されているセンサーアッシー１２０が前後方向において遊技者に接近する方向に突出して検知可能状態となり、始動入賞口の上流の一対の釘の左右の釘ＫＬおよびＫＲの位置を三角測量原理に基づき測定して、表示することにより報知するように構成されている。
【００６８】
前記投光素子１２１から投光された光は、図８に示されるように検出物体である前記始動入賞口７の上流に一対配設された左右の釘ＫＬ、ＫＲの外周壁面上で拡散反射され、反射光は受光レンズによって、光の当たった位置に応じた信号を出力する半導体素子によって構成された位置検出素子１２２上に結像され、光学系に近い左の釘ＫＬによって反射した反射光が、位置検出素子１２２上のａの位置に結像し、光学系に遠い右の釘ＫＲによって反射した反射光が、位置検出素子上のｂの位置に結像するため、位置検出素子上の結像位置を測定することによって、光学系から左右の釘ＫＬ、ＫＲまでの距離、すなわち左右の釘ＫＬ、ＫＲの各位置を測定することが出来るものである。
【００６９】
すなわち例えば前記投光素子１２１は、図９に示されるように投光ＬＥＤ１２１１とレンズ１２１２によって構成され、前記位置検出素子１２２は、２分割フォトダイオード１２２１によって構成され、結像面の図中下半分をＤ側、上半分をＵ側の２領域に分割して、前記始動入賞口７の上流に一対配設された一方の左の釘ＫＬの外周壁面上で拡散反射された反射光は、レンズ１２２２によって前記結像面のＤ側で結像するとともに、他方の右の釘ＫＲの外周壁面上で拡散反射された反射光は、前記レンズ１２２２によって前記結像面のＵ側で結像するように設定され、左右の釘ＫＬ、ＫＲの中間点の位置の釘の外周壁面上で拡散反射された反射光が、前記結像面のＤ側とＵ側との境界部において結像して、Ｄ側の受光量とＵ側の受光量とが等しくなるように設定されている。
【００７０】
判定手段２００は、前記位置検出素子から出力される左右の釘ＫＬ、ＫＲによって反射された事に伴うＤ側の受光量とＵ側の受光量との差をそれぞれ演算することにより、左右の釘ＫＬ、ＫＲの位置を判別するものであり、判別された左右の釘ＫＬ、ＫＲの位置と予め求めておいた左右の釘ＫＬ、ＫＲの盤面に対して直交する直立状態のそれぞれの位置すなわち左右の釘ＫＬ、ＫＲの根元の位置、座標との差その他の相対的関係を求めて、判定結果を出力するように構成されている。
【００７１】
報知手段３００は、前記判定手段２００から出力され判別された左右の釘ＫＬ、ＫＲの位置と、予め求めておいた左右の釘ＫＬ、ＫＲの盤面に対して直交する直立状態のそれぞれの位置すなわち左右の釘ＫＬ、ＫＲの根元の位置、座標との差その他の相対的関係に基づき、前記左右の釘ＫＬ、ＫＲの調整状態すなわち前記左右の釘ＫＬ、ＫＲの左右方向における傾斜した姿勢を図柄変動装置の一部として両側の表示部を表示手段として、表示報知するように構成されている。
【００７２】
上記構成より成る第２実施例の遊技機は、前記投光素子１２１から投光された光による、始動入賞口の上流の一対の釘からの反射光により三角測量原理に基づき、位置検出素子１２２上に結像させることにより、前記一対の釘の調整状態を判定して報知するものであるため、遊技者が、報知された前記釘の調整状態を考慮して遊技機を選択することが出来るようにするとともに、遊技場管理者等が、調整後の前記釘の調整状態を確認することが出来るという効果を奏する。
【００７３】
また第２実施例の遊技機は、前記判定手段２００が、前記位置検出素子１２２から出力される左右の釘ＫＬ、ＫＲによって反射された事に伴うＤ側の受光量とＵ側の受光量との差をそれぞれ演算することにより、左右の釘ＫＬ、ＫＲの位置を判別するものであり、判別された左右の釘ＫＬ、ＫＲの位置と予め求めておいた左右の釘ＫＬ、ＫＲの盤面に対して直交する直立状態のそれぞれの位置すなわち左右の釘ＫＬ、ＫＲの根元の位置、座標との差その他の相対的関係を求めて、判定結果を出力するので、シンプルな構成により、前記一対の釘の調整状態を判定することが出来るという効果を奏する。
【００７４】
さらに第２実施例の遊技機は、前記報知手段３００が、前記判定手段２００から出力され判別された左右の釘ＫＬ、ＫＲの位置と、予め求めておいた左右の釘ＫＬ、ＫＲの盤面に対して直交する直立状態のそれぞれの位置すなわち左右の釘ＫＬ、ＫＲの根元の位置、座標との差その他の相対的関係に基づき、前記左右の釘ＫＬ、ＫＲの調整状態すなわち前記左右の釘ＫＬ、ＫＲの左右方向における傾斜した姿勢を表示報知するので、前記一対の釘の調整状態を正確に表示して報知することが出来るという効果を奏する。
【００７５】
さらに第２実施例の遊技機は、遊技盤３の中央に位置する前記図柄変動装置の一部として両側の表示部を表示手段として利用することにより、表示報知するものであるので、新たな表示手段を新設することなく、遊戯者または遊技場管理者等が容易に前記釘の姿勢を認識出来るという効果を奏する。
【００７６】
また第２実施例の遊技機は、検知対象となる釘に対して横方向（および縦方向）より発光手段によって投光するとともに、分割フォトダイオードによって釘の反射光による受光位置を測定することにより、三角測量原理を用いて検知対象となる釘の基準距離からの距離を測定して釘の位置を報知するので、釘の実際の状態の良し悪しを直接的に報知するため、遊技者に対して不用な不信感を与える事無く、信頼性の高い価値ある情報を提供することが出来るという効果を奏するとともに、また、釘の実際の状態を報知可能であるため、釘の調整を行った後の調整状態を遊技場管理者等が確認することが出来るので、必要な場合は前記釘の再調整を可能にして、精密な釘調整を可能にするという効果を奏する。
【実施例３】
【００７７】
本第３実施例の遊技機は、図１１ないし図１６に示されるように前記検知手段１００が、始動入賞口の上流の一対の左右の釘に近接してそれぞれ配設されるイメージセンサーによって構成され、前記釘の調整後の姿勢をイメージとして検知することにより、画像解析によって前記釘の調整状態および姿勢を判定報知する点が、前記第１実施例との相違点であり、以下相違点を中心に説明する。
【００７８】
本第３実施例においては、図２に示されるように遊技者または遊技場管理者が、始動入賞口の上流の一対の釘の調整状態を確認する場合には、遊技開始前に前記操作部の「ＥＮＴＥＲ」ボタンを長押しすることにより、釘の調整状態確認モードを起動させると、始動入賞口の上流の一対の左右の釘の上方の部位の盤面に埋没されているイメージセンサーが作動して、下方の前記左右の釘ＫＬ、ＫＲの姿勢を撮影し、取り込んだ画像データを画像解析によって、前記釘の調整状態および姿勢を判定して、報知するように構成されている。
【００７９】
イメージセンサー１３０は、図１１ないし図１３に示されるようにＣＣＤイメージセンサーまたはＣＭＯＳイメージセンサーによって構成されたレンジファインダーセンサによって構成され、レーザ光またはレーザスリット光を対象物である前記釘ＫＬ、ＫＲに対して照射するレーザ投光器１３１と、前記対象物である前記釘ＫＬ、ＫＲから反射された反射光を検出して画像データを出力するカメラ１３２と、出力された画像データを格納する画像メモリ１３３とから成り、前記遊技盤３における前記始動入賞口７の上流に突設された両側一対の釘と前記センター役物４の下端との間の位置に埋設して形成される。
【００８０】
判定手段２００は、画像処理手段を構成する、前記画像メモリに格納されている前記カメラから出力された画像データに基づき、予め実験的に設定した釘の各種の姿勢（脚部の角度、頭部の姿勢）における画像データを測定してＲＯＭに格納されている前記釘ＫＬ、ＫＲの左右方向の傾きに対応する脚部の角度と前記釘ＫＬ、ＫＲの上下方向の傾きに対応する参照データを参照して前記釘ＫＬ、ＫＲの左右方向の傾きに対応する脚部の角度と前記釘ＫＬ、ＫＲの上下方向の傾きに対応する頭部の上下方向の角度を算出する算出部２０１を備えている。
【００８１】
すなわち予め実験的に釘の盤面における左右方向の傾きの角度を色々設定して、測定を実施して得られた脚部の画像データと設定した脚部の左右方向の角度との対応関係を参照データとして予め求めておくとともに、釘の盤面における上下方向の傾きの角度を色々設定して、測定を実施して得られた頭部の画像データと設定した頭部の上下方向の角度との対応関係を参照データとして予め求めておいて、測定された前記釘ＫＬ、ＫＲの画像データに基づき、上述の参照データを参照して前記釘ＫＬ、ＫＲの左右方向の傾きに対応する脚部の角度を算出するとともに、前記釘ＫＬ、ＫＲの頭部の姿勢に対応する上下方向の角度を算出するものである。
【００８２】
さらに判定手段は、上述のように前記釘ＫＬ、ＫＲにおける算出された前記脚部の左右方向の角度と前記頭部の上下方向の角度に基づき、図１５に示されるマトリックスに従い前記脚部の左右方向の角度が「０」かどうか、前記頭部の上下方向の角度が「０」かどうか、前記脚部の左右方向の角度が「０」でない場合には前記脚部の左右方向の角度が「一定値」を越えているかどうか、前記頭部の上下方向の角度が「０」でない場合は、前記頭部の上下方向の角度が「一定値」を越えているかどうかを判定する判定部２０２を備えている。
【００８３】
すなわち、図１５に示されるマトリックスにおいて、前記脚部の左右方向の角度および前記頭部の上下方向の角度がともに「０」の場合の盤面に釘が直交している直立状態には、中心のａ領域が点灯または点滅するものであり、前記脚部の左右方向の角度および前記頭部の上下方向の角度がともに「一定値」未満の場合には、中央のｆ領域が点灯または点滅するものであり、前記脚部の左右方向の角度および前記頭部の上下方向の角度がともに「一定値」以上の場合には、四隅のｉ領域が点灯または点滅するものである。
【００８４】
報知手段３０３は、前記判定手段２００の前記判定部２０２から出力される判定結果により、図１６に示される選択的に点灯または点滅表示する表示パターンを一例として図柄変動装置の右上の表示部を表示手段として、表示報知するように構成されている。
【００８５】
上記構成より成る第３実施例の遊技樹は、前記レーザ投光器１３１が、レーザ光またはレーザスリット光を対象物である前記釘ＫＬ、ＫＲに対して照射し、前記カメラ１３２が、前記対象物である前記釘ＫＬ、ＫＲから反射された反射光を検出して、前記カメラ１３２から出力された画像データが前記画像メモリ１３３に格納される。
【００８６】
前記判定手段２００においては、画像処理手段を構成する前記算出部２０１が、前記画像メモリに格納されている前記カメラから出力された画像データに基づき、予め実験的に設定した釘の各種の姿勢（既知の脚部の角度、頭部の姿勢）における画像データ測定してＲＯＭに格納されている前記釘ＫＬ、ＫＲの左右方向の傾きに対応する脚部の角度と前記釘ＫＬ、ＫＲの上下方向の傾きに対応する参照データを参照して前記釘ＫＬ、ＫＲの左右方向の傾きに対応する脚部の角度と前記釘ＫＬ、ＫＲの上下方向の傾きに対応する頭部の上下方向の角度を算出するものである。
【００８７】
すなわち図１４に示されるように予め実験的に釘の盤面における左右方向の傾きの角度を色々設定して、測定を実施して得られた脚部の画像データと設定した脚部の左右方向の角度との対応関係を参照データとして予め求めておくとともに、釘の盤面における上下方向の傾きの角度を色々設定して、測定を実施して得られた頭部の画像データと設定した頭部の上下方向の角度との対応関係を参照データとして予め求めておいて、測定された前記釘ＫＬ、ＫＲの画像データに基づき、上述の参照データを参照して前記釘ＫＬ、ＫＲの左右方向の傾きに対応する脚部の角度を算出するとともに、前記釘ＫＬ、ＫＲの頭部の姿勢に対応する上下方向の角度を算出するものである。
【００８８】
図１４において、前記カメラから出力された画像データ（Ａ）ないし（Ｃ）は、前記釘ＫＬ、ＫＲが盤面の左右方向において右に傾斜している場合で、（Ａ）は前記釘ＫＬ、ＫＲが盤面の上下方向において下に傾斜している場合を示しており、（Ｂ）は前記釘ＫＬ、ＫＲが盤面に対して直交している直立している場合を示しており、（Ｃ）は前記釘ＫＬ、ＫＲが盤面の上下方向において上に傾斜している場合を示している。
【００８９】
図１４において、前記カメラから出力された画像データ（Ｄ）ないし（Ｆ）は、前記釘ＫＬ、ＫＲが盤面の左右方向において直立している（傾斜していない）場合で、（Ｄ）は前記釘ＫＬ、ＫＲが盤面の上下方向において下に傾斜している場合を示しており、（Ｅ）は前記釘ＫＬ、ＫＲが盤面に対して直交している直立している場合を示しており、（Ｆ）は前記釘ＫＬ、ＫＲが盤面の上下方向において上に傾斜している場合を示している。
【００９０】
図１４において、前記カメラから出力された画像データ（Ｇ）ないし（Ｉ）は、前記釘ＫＬ、ＫＲが盤面の左右方向において左に傾斜している場合で、（Ｇ）は前記釘ＫＬ、ＫＲが盤面の上下方向において下に傾斜している場合を示しており、（Ｈ）は前記釘ＫＬ、ＫＲが盤面に対して直交している直立している場合を示しており、（Ｉ）は前記釘ＫＬ、ＫＲが盤面の上下方向において上に傾斜している場合を示している。
【００９１】
図１４において、前記カメラから出力された画像データ（Ｊ）ないし（Ｌ）は、前記釘ＫＬ、ＫＲが盤面の上下方向に既知の角度で傾斜している場合の代表例について、前記釘ＫＬ、ＫＲの頭部のみに着目した要部拡大画像データであって、前記釘ＫＬ、ＫＲが盤面の上下方向における傾斜状態を判断するものであって、（Ｊ）は前記釘ＫＬ、ＫＲが盤面の上下方向において下に傾斜している場合の前記釘の頭部の外形稜線を示しており、（Ｋ）は前記釘ＫＬ、ＫＲが盤面に対して直交している直立している場合の前記釘の頭部の外形稜線を示しており、（Ｌ）は前記釘ＫＬ、ＫＲが盤面の上下方向において上に傾斜している場合の前記釘の頭部の外形稜線を示している。
【００９２】
さらに判定手段２００の前記判定部２０２は、上述のように前記釘ＫＬ、ＫＲにおける算出された前記脚部の左右方向の角度と前記頭部の上下方向の角度に基づき、図１５に示されるマトリックスに従い前記脚部の左右方向の角度が「０」かどうか、前記頭部の上下方向の角度が「０」かどうか、前記脚部の左右方向の角度が「０」でない場合には前記脚部の左右方向の角度が「一定値」を越えているかどうか、前記頭部の上下方向の角度が「０」でない場合は、前記頭部の上下方向の角度が「一定値」を越えているかどうかを判定するものである。
【００９３】
前記報知手段３０３は、前記判定手段２００の前記判定部２０２から出力される判定結果により、図１６に示されるように選択的に点灯または点滅表示する表示パターンを図柄変動装置の右上の表示部を表示手段として、表示報知するものである。
【００９４】
すなわち、図１５に示されるマトリックスにおいて、前記脚部の左右方向の角度および前記頭部の上下方向の角度がともに「０」の場合すなわち盤面に釘が直交している直立状態には、図１６における中心のａ領域が点灯または点滅するものであり、前記脚部の左右方向の角度および前記頭部の上下方向の角度がともに「一定値」未満の場合には、表示領域の中央部のｆ領域が点灯または点滅するものであり、前記脚部の左右方向の角度および前記頭部の上下方向の角度がともに「一定値」以上の場合には、表示領域の四隅のｉ領域が点灯または点滅するものである。
【００９５】
上記作用を奏する第３実施例の遊技機は、始動入賞口の上流の一対の左右の釘に近接してそれぞれ配設される前記イメージセンサー１３０によって、前記釘の調整後の姿勢をイメージとして検知することにより、画像解析によって前記釘の調整状態および姿勢を判定報知するものであるため、遊技者が、報知された前記釘の調整状態を考慮して遊技機を選択することが出来るようにするとともに、遊技場管理者等が、調整後の前記釘の調整状態を確認することが出来るという効果を奏する。
【００９６】
また第３実施例の遊技機は、前記判定手段２００を構成する前記算出部２０１が、前記画像メモリに格納されている前記カメラから出力された画像データに基づき、予め実験的に設定した釘の各種の姿勢（既知の脚部の角度、頭部の姿勢）における画像データ測定してＲＯＭに格納されている前記釘ＫＬ、ＫＲの左右方向の傾きに対応する脚部の角度と前記釘ＫＬ、ＫＲの上下方向の傾きに対応する参照データを参照して前記釘ＫＬ、ＫＲの左右方向の傾きに対応する脚部の角度と前記釘ＫＬ、ＫＲの上下方向の傾きに対応する頭部の上下方向の角度を算出するので、前記釘ＫＬ、ＫＲの調整状態を正確に確認することが出来るという効果を奏する。
【００９７】
さらに第３実施例の遊技機は、前記判定手段２００の前記判定部２０２が、前記釘ＫＬ、ＫＲにおける算出された前記脚部の左右方向の角度と前記頭部の上下方向の角度に基づき、図１５に示される判定マトリックスに従い前記脚部の左右方向の角度が「０」かどうか、前記頭部の上下方向の角度が「０」かどうか、前記脚部の左右方向の角度が「０」でない場合には前記脚部の左右方向の角度が「一定値」を越えているかどうか、前記頭部の上下方向の角度が「０」でない場合は、前記頭部の上下方向の角度が「一定値」を越えているかどうかを判定するものであるので、判定がシンプルであり、確実な判定が実現出来るという効果を奏する。
【００９８】
また第３実施例の遊技機は、前記判定手段２００の前記判定部２０２から出力される判定結果により、図１６に示されるように選択的に点灯または点滅表示する表示パターンを上述の実施例と同様に図柄変動装置の一部として両側の表示部を表示手段として、表示報知するものであるため、遊技者または遊技場管理者が、調整後の前記釘の調整状態を容易かつ確実に確認することが出来るという効果を奏する。
【００９９】
さらに第３実施例の遊技機は、前記判定手段２００の前記判定部２０２から出力される判定結果により、図１６に示されるように選択的に点灯または点滅表示する表示パターンを上述の実施例と同様に図柄変動装置の一部として両側の表示部を表示手段として、表示報知するものであるため、遊技者または遊技場管理者が、調整後の前記左右の釘ＫＬ、ＫＲ釘の３次元的姿勢をイメージ出来るようにすることが出来るという効果を奏する。
【０１００】
また第３実施例の遊技機は、図１６に示されるように選択的に点灯または点滅表示する表示パターンを上述の実施例と同様に図柄変動装置の一部として両側の表示部を表示手段として、表示報知するものであるため、遊技者に対して不用な不信感を与える事無く、信頼性の高い価値ある情報を提供することが出来るという効果を奏するとともに、また、釘の実際の状態を報知可能であるため、釘の調整を行った後の調整状態を遊技場管理者等が確認することが出来るので、必要な場合は前記釘の再調整を可能にして、精密な釘調整を可能にするという効果を奏する。
【０１０１】
上述の実施例は、説明のために例示したもので、本発明としてはそれらに限定されるものではなく、特許請求の範囲、発明の詳細な説明および図面の記載から当業者が認識することができる本発明の技術的思想に反しない限り、変更および付加が可能である。
【０１０２】
上述の第１実施例の遊技機においては、一例として検知手段１００において、、前記レーザ発光手段１１１によって前記一対の釘に対してレーザスポット光を照射して、該一対の釘を通過して到達したレーザスポット光の光量分布を測定する光量分布測定手段１１２として前記半導体位置検出素子（ＰＳＤセンサー）を用いる例について説明したが、本発明としてはそれらに限定されるものではなく、レーザ発光手段以外のＬＥＤそれ以外の光源による発光手段や、ＰＳＤセンサー以外の光を受光するとその位置に応じた電気的信号を出力する受光素子アレーその他のものが採用可能である。
【０１０３】
上述の第２実施例の遊技機においては、一例として前記投光素子１２１が、投光ＬＥＤ１２１１とレンズ１２１２によって構成され、前記位置検出素子１２２が、２分割フォトダイオード１２２１によって構成される例について説明したが、本発明としてはそれらに限定されるものではなく、前記投光素子１２１の光源としてレーザ光その他を用いることが出来るとともに、２分割フォトダイオード以外の受光位置に応じた電気的信号を出力し得るものであれば採用可能である。    
【０１０４】
上述の第３実施例の遊技機においては、一例としてイメージセンサー１３０が、ＣＣＤイメージセンサーまたはＣＭＯＳイメージセンサーによって構成されたレンジファインダーセンサによって構成され、レーザ光またはレーザスリット光を対象物である前記釘ＫＬ、ＫＲに対して照射するレーザ投光器１３１と、前記対象物である前記釘ＫＬ、ＫＲから反射された反射光を検出して画像データを出力するカメラ１３２と、出力された画像データを格納する画像メモリ１３３とから成るものについて説明したが、本発明としてはそれらに限定されるものではなく、上述以外のイメージセンサーを用いるものや、画像メモリを内蔵しないタイプのもの等採用可能である。
【０１０５】
また上述の実施例においては、一例として操作ボタンの「ＥＮＴＥＲ」を長押しすることにより、釘の調整確認モードを起動する例について説明したが、「ＥＮＴＥＲ」ボタンその他のボタンの拭く数回押す態様や釘の調整確認モードを起動するための専用ボタンを新設する態様も採用可能である。
【０１０６】
さらに上述の実施例においては、一例として始動入賞口の上流に配設されている一対の左右の釘が配設されている位置に２個の検知センサを配設する例について説明したが、本発明としてはそれらに限定されるものではなく、検知センサを３個以上配設しても良く、始動入賞口に加えセンター役物の上流に配設されている一対の左右の釘が配設されている位置に２個の検知センサを更に配設する態様や、各入賞口の上流の釘や、風車その他の遊技部材が配設されている位置に検知センサを配設する態様を採用可能である。
【０１０７】
また上述の実施例においては、一例として前記主制御基板４０において不正行為判定処理を行い、前記演出制御基板５０等において不正報知等を行う態様について説明したが、本発明はこれに限定されるものではなく、前記主制御基板４０のみまたは前記演出制御基板５０のみで各処理を行う態様や、これらとは別に新たな基板を付加して、当該基板上に検知センサーからの検知信号に基づき本実施例における判定を可能にする判定回路および判定回路殻の判定出力に基づき図柄変動装置または報知手段に報知制御信号を出力する駆動制御回路を配置する態様等も適宜採用可能である。
【０１０８】
さらに上述の実施例においては、一例として前記図柄変動装置の両側の表示部を利用して、前記左右の釘の調整状態を表示報知する例について説明したが、前記図柄変動装置の３個の表示部を全部利用して表示報知する態様が可能であるとともに、前記図柄変動装置とは別に表示報知手段を新設して表示報知する態様も採用可能である。
【産業上の利用可能性】
【０１０９】
遊技領域に配設され、入賞手段としての始動入賞口への遊技球の入賞状態を調整可能な両側一対の釘を備えた遊技機において、前記一対の釘に対して光を照射する発光手段と、当該発光手段より照射され、該一対の釘を通過して到達した光の光量分布を測定する光量分布測定手段とから成る検知手段と、前記検知手段によって測定された前記一対の釘を通過して到達した光の光量分布信号に基づき、前記一対の釘の調整状態を判定する判定手段と、前記判定手段によって判定された前記釘の調整状態を報知する報知手段とを備え、遊技者または遊技場管理者等が、報知された前記釘の調整状態を考慮して遊技機を選択することが出来るようにするとともに、調整後の前記釘の調整状態を確認することが出来る用途に適用できる。
【符号の説明】
【０１１０】
１  遊技機本体
２  外枠
３  遊技盤
５  図柄変動装置
４０  主制御基板
５０  演出制御基板
５１  サブＣＰＵ
６０  画像・音声制御基板
７０  ランプ制御基板
８０  払出制御基板
１００  検知手段
２００  判定手段
３００、３０３  報知手段
【図１】
2011234890.tif 000003
【図２】
2011234890.tif 000004
【図３】
2011234890.tif 000005
【図４】
2011234890.tif 000006
【図５】
2011234890.tif 000007
【図６】
2011234890.tif 000008
【図７】
2011234890.tif 000009
【図８】
2011234890.tif 000010
【図９】
2011234890.tif 000011
【図１０】
2011234890.tif 000012
【図１１】
2011234890.tif 000013
【図１２】
2011234890.tif 000014
【図１３】
2011234890.tif 000015
【図１４】
2011234890.tif 000016
【図１５】
2011234890.tif 000017
【図１６】
2011234890.tif 000018
【図１７】
2011234890.tif 000019